(57)【特許請求の範囲】
【請求項１】
複数の給湯器を連結してなる給湯システムであって、
給湯器に水を供給するための給水配管と、給湯器の加熱部で加熱昇温された温水を先栓に供給するための給湯配管と、前記給湯配管内の湯水を給湯器の加熱部に戻すための給湯戻り配管とを有し、
これら給水配管、給湯配管および給湯戻り配管に前記複数の給湯器が接続され、
給湯システムの全体制御部が、前記複数の給湯器のうちから給湯運転を最初に開始するメイン給湯器を設定するように構成され、
各給湯器には、加熱部への通水を制御する流量制御弁と、前記給湯戻り配管内の湯水を給湯器の加熱部に循環させる循環ポンプとが備えられ、給湯器毎に前記流量制御弁を開いて循環ポンプを作動させる循環運転ができるように構成された給湯システムにおいて、
２台以上の給湯器で前記循環運転が同時に行われる場合には、前記メイン給湯器に他の給湯器よりも多くの通水が生じるように各給湯器の流量制御を行うことを特徴とする給湯システム。
【請求項２】
前記各給湯器の流量制御は、各給湯器に備えられた前記流量制御弁の制御流量の設定により行われることを特徴とする請求項１に記載の給湯システム。
【請求項３】
前記各給湯器の循環運転は、前記給湯配管内の湯水の温度低下を防止するために給湯配管内の湯水を給湯器の加熱部に戻して加熱する即出湯運転時と、給湯器内の湯水を循環させて凍結を防止する凍結予防運転時に行われることを特徴とする請求項１または２に記載の給湯システム。
【請求項４】
前記給湯システムの全体制御部は、メイン給湯器の設定時に当該メイン給湯器以外の給湯器を給湯負荷の増加に応じて給湯運転の開始を許可するサブ給湯器として設定し、
前記循環運転が１台のサブ給湯器のみで行われる場合には、２台以上の給湯器で循環運転が同時に行われる場合よりも循環流量が多くなるように当該サブ給湯器の流量制御を行うことを特徴とする請求項１から３のいずれかに記載の給湯システム。
【発明の詳細な説明】
【技術分野】
【０００１】
この発明は給湯システムに関し、より詳細には、複数の給湯器を連結してなる給湯システムであって、各給湯器に給湯器内の湯水を強制循環させる循環ポンプが備えられている給湯システムに関する。
【背景技術】
【０００２】
大量の出湯が求められるなど給湯負荷の大きい施設で使用される給湯システムとして、複数の給湯器を連結して運用する給湯システムが提案されている（たとえば、特許文献１、特許文献２参照）。
【０００３】
この種の給湯システムでは、給湯システムの全体を制御する全体制御部が、給湯運転（燃焼運転）を最初に開始させる給湯器（メイン給湯器）と、メイン給湯器だけでは給湯能力が不足するときに給湯運転を開始させる給湯器（サブ給湯器）を設定する。そして、この設定により、メイン給湯器の流路開閉弁（たとえば、加熱部への通水を制御する缶体水量調整弁）を開き、サブ給湯器の流路開閉弁を閉じるようにしている。
【０００４】
この状態では、カランなどの先栓が開かれるとメイン給湯器だけに通水が生じ、この通水がメイン給湯器の給湯運転開始条件として設定されている流量（最低作動流量）を超えると、メイン給湯器の器具制御部によってメイン給湯器の給湯運転が開始される。給湯システムの全体制御部は、メイン給湯器の給湯運転の状態を監視し、給湯負荷の増加によりメイン給湯器だけでは給湯能力が不足すると判断した場合には、サブ給湯器の給湯運転を許可する。給湯運転が許可されたサブ給湯器の流路開閉弁は開かれ、当該サブ給湯器の通水が最低作動流量を超えると、当該サブ給湯器の器具制御部がサブ給湯器に給湯能力の不足分を補う給湯運転を開始させる。なお、サブ給湯器が複数ある場合には、１台目のサブ給湯器の給湯運転によっても給湯能力が不足すると、上述した手順と同様の手順で２台目以降のサブ給湯器の流路開閉弁が開かれ、順次給湯運転が開始される。
【０００５】
ところで、このように複数の給湯器を連結して運用する給湯システムに用いられる給湯器のなかには、給湯器内の湯水を強制循環させる循環ポンプを備えた給湯器がある。
【０００６】
たとえば、いわゆる即出湯運転機能を備えた給湯器がその一例である。
即出湯運転機能を備えた給湯器は、給湯器の加熱部で加熱昇温された湯水を先栓に供給する給湯配管に加えて、先栓から給湯器の加熱部の入水側に湯水を戻す給湯戻り配管が備えられるとともに、この給湯戻り配管に循環ポンプが備えられており、給湯配管内の湯水の温度が低下すると、循環ポンプを作動させて給湯器内の湯水を強制循環させながら燃焼缶体に即出湯運転（燃焼運転）を行わせ、給湯配管内の湯水の温度が低下するのを防ぐように構成されている。
【０００７】
このような即出湯運転機能を備えた給湯器を連結して運用する場合、上記給湯戻り配管は各給湯器に分岐接続され、循環ポンプはこの分岐された配管に設けられる。複数の給湯器を連結して運用する給湯システムでは、特定の給湯器だけをメイン給湯器に設定すると当該給湯器の劣化が進むので、メイン給湯器となる給湯器は適宜ローテーションを行うように構成されることから、いずれの給湯器がメイン給湯器となっても当該給湯器で即出湯運転が行えるように、循環ポンプは給湯器ごとに備えられる。
【先行技術文献】
【特許文献】
【０００８】
【特許文献１】特開平６−２８１２５０号公報
【特許文献２】特開２００３−２２２３９９号公報
【発明の概要】
【発明が解決しようとする課題】
【０００９】
しかしながら、このような循環ポンプを備えた給湯器を連結して運用するには以下のような問題があった。
【００１０】
すなわち、この種の給湯器において、給湯器に備えられる循環ポンプは、上述した即出湯運転だけでなく凍結予防運転にも用いられる。凍結予防運転は、給湯器への入水温度や給湯器内の雰囲気温度が所定温度以下になると、循環ポンプを作動させて給湯器内の湯水を強制循環させることによって湯水の凍結を防止する運転であるが、その際、給湯器内で湯水が循環できるように加熱部への通水を制御する流量制御弁（たとえば、缶体水量調整弁）が開かれる。
【００１１】
このような凍結予防運転は、各給湯器の器具制御部の独自の判断で行われるので、メイン給湯器の即出湯運転とサブ給湯器の凍結予防運転が同時に行われる場合や、メイン給湯器とサブ給湯器の凍結予防運転が同時に行われる場合など、複数の給湯器において、流量制御弁を開いて循環ポンプが作動する場合が起こり得る。
【００１２】
ところが、このような状態で先栓が開かれると、給水管から供給される水はメイン給湯器およびサブ給湯器に分散される。たとえば、サブ給湯器が１台の場合、給水管から供給される水は２台の給湯器に分散（理論上は１／２に分散）されるので、メイン給湯器の最低作動流量が毎分３リットル（３Ｌ／分）である場合には、その倍（６Ｌ／分）以上の水を先栓で使用しなければ、メイン給湯器は給湯運転を開始しない。
【００１３】
そのため、循環ポンプを備えた給湯器を連結した給湯システムでは、複数の給湯器の循環ポンプが同時に作動すると、そうでないときに比べて多くの水を使用しなければ温水が供給されなくなり、使い勝手が悪くなるという問題があった。
【００１４】
本発明は、このような問題点に鑑みてなされたものであって、その目的とするところは、給湯器内の湯水を強制的に循環させる循環ポンプを備えた給湯器を連結してなる給湯システムにおいて、複数の給湯器の循環ポンプが同時に作動したときでも、先栓での水の使用量が少ない段階から給湯運転が開始される使い勝手の良い給湯システムを提供することにある。
【課題を解決するための手段】
【００１５】
上記目的を達成するため、本発明に係る給湯システムは、複数の給湯器を連結してなる給湯システムであって、給湯器に水を供給するための給水配管と、給湯器の加熱部で加熱昇温された温水を先栓に供給するための給湯配管と、上記給湯配管内の湯水を給湯器の加熱部に戻すための給湯戻り配管とを有し、これら給水配管、給湯配管および給湯戻り配管に上記複数の給湯器が接続され、給湯システムの全体制御部が、上記複数の給湯器のうちから給湯運転を最初に開始するメイン給湯器を設定するように構成され、各給湯器には、加熱部への通水を制御する流量制御弁と、上記給湯戻り配管内の湯水を給湯器の加熱部に循環させる循環ポンプとが備えられ、給湯器毎に上記流量制御弁を開いて循環ポンプを作動させる循環運転ができるように構成された給湯システムにおいて、２台以上の給湯器で上記循環運転が同時に行われる場合には、上記メイン給湯器に他の給湯器よりも多くの通水が生じるように各給湯器の流量制御を行うことを特徴とする。
【００１６】
そして、その好適な実施態様として、上記各給湯器の流量制御は、各給湯器に備えられた上記流量制御弁の制御流量の設定により行われることを特徴とする。
【００１７】
また、上記各給湯器の循環運転は、上記給湯配管内の湯水の温度低下を防止するために給湯配管内の湯水を給湯器の加熱部に戻して加熱する即出湯運転時と、給湯器内の湯水を循環させて凍結を防止する凍結予防運転時に行われることを特徴とする。
【００１８】
また、上記給湯システムの全体制御部は、メイン給湯器の設定時に当該メイン給湯器以外の給湯器を給湯負荷の増加に応じて給湯運転の開始を許可するサブ給湯器として設定し、上記循環運転が１台のサブ給湯器のみで行われる場合には、２台以上の給湯器で循環運転が同時に行われる場合よりも循環流量が多くなるように当該サブ給湯器の流量制御を行うことを特徴とする。
【発明の効果】
【００１９】
本発明によれば、加熱部への通水を制御する流量制御弁が開き、かつ、給湯配管内の湯水を給湯器の加熱部に戻す循環ポンプが作動する循環運転が２台以上の給湯器で同時に行われた場合には、給湯運転を最初に開始するように設定されたメイン給湯器に他の給湯器よりも多くの通水が生じるように各給湯器の流量制御が行われるので、この状態で先栓が開かれると、給水管から供給される水が他の給湯器よりもメイン給湯器により多く流れることになり、メイン給湯器は最低作動流量を超える通水を早期に得ることができる。
【図面の簡単な説明】
【００２０】
【図１】本発明に係る給湯システムの一例を示す概略構成図である。
【図２】同給湯システムの給湯器における即出湯運転の手順の一例を示すフローチャートである。
【図３】同給湯システムの給湯器における凍結予防運転の手順の一例を示すフローチャートである。
【発明を実施するための形態】
【００２１】
以下、本発明の実施形態を図面に基づいて詳細に説明する。
図１は、本発明に係る給湯システムの概略構成を示しており、この図１に示す給湯システムは、複数（図示例では２台）の給湯器１ａ，１ｂを連結することにより構成されている。
【００２２】
具体的には、この給湯システムは、給湯運転の開始当初は一方の給湯器（例えば、給湯器１ａ）だけで給湯運転を行い、当該給湯運転を行っている給湯器だけでは給湯負荷に応じられない場合に他方の給湯器（例えば、給湯器１ｂ）が給湯運転を行うように構成されており、このような給湯器の運転台数の制御を行う制御手段としてシステム全体を制御する全体制御部が備えられている（詳細は後述する）。
【００２３】
また、各給湯器１ａ，１ｂには、いずれも先栓２２を開いたときに先栓２２から直ちに温水が出湯されるように（換言すれば、給湯器１から先栓２２までの配管内に滞留する湯水が冷めないように）、給湯配管２１内の湯水を温める機能（即出湯運転を行う機能と構成）が備えられている。そのため、この給湯システムでは、かかる機能に対応して給湯配管２１内の湯水を給湯器１ａ，１ｂに戻すための給湯戻り配管２３が備えられている（詳細は後述する）。
【００２４】
さらに、各給湯器１ａ，１ｂは、いずれも給湯器内の湯水が凍結するのを防止するために、給湯器内の湯水を循環させる凍結予防機能（凍結予防運転を行う機能と構成）も備えている（この運転の詳細も後述する）。
【００２５】
そこで、まず給湯器１ａ，１ｂについて説明する。
各給湯器１ａ，１ｂは、上水道などの水源と接続された給水配管２０から供給される水を加熱昇温させて給湯配管２１を介してカランなどの先栓２２に供給するための給湯装置であって、図１に示すように、一端が入水管２に接続され、他端が出湯管３に接続され、入水管２から供給される湯水を加熱昇温させる熱交換器４と、この熱交換器４への入水流量を検出する入水流量センサ５と、熱交換器４に供給される湯水の温度を検出する入水温度センサ６と、熱交換器４の通水流量を制御する缶体水量調整弁７と、熱交換器４からの出湯温度を検出する缶体温度センサ８と、熱交換器４を通さずに入水管２と出湯管３とを接続するバイパス管９と、バイパス管９の流量を制御するバイパス水量調整弁１０と、給湯器１からの出湯温度、すなわち、熱交換器４から出湯される温水と上記バイパス管９から供給される水の混合温水の温度を検出する出湯温度センサ１１と、給湯器各部を制御する器具制御部１２を主要部として備えている。
【００２６】
熱交換器４は、入水管２から供給される湯水を加熱するための加熱部を構成するものであって、図示しない燃焼缶体内に収容され、ガスや石油を燃料とするバーナによって加熱される。バーナの点火のタイミングや燃焼状態は給湯設定温度や給湯負荷に応じて器具制御部１２により制御される。
【００２７】
入水流量センサ５は、配管内を流れる湯水の流量を検出する羽根車式の流量センサで構成されており、図示のように、熱交換器４の上流側、より詳細には、後述する給湯戻り配管２３からの分岐配管２４が入水管２に接続される接続部Ａの下流側に配設され、熱交換器４に流入する湯水の流量を検出している。なお、入水流量センサ５は、器具制御部１２と電気的に接続されており、入水流量センサ５で得られた検出情報は器具制御部１２に供給される。
【００２８】
入水温度センサ６、缶体温度センサ８および出湯温度センサ１１は、いずれも配管内の湯水の温度を検出するサーミスタを用いた温度センサで構成されており、図示のように、入水温度センサ６は熱交換器４の上流側で上記接続部Ａよりも下流側に配設され、缶体温度センサ８は熱交換器４の下流側で出湯管３とバイパス管９の接続部Ｃよりも上流側に配設され、さらに、出湯温度センサ１１は上記接続部Ｃより下流側に配設されている。なお、これら各温度センサ６，８，１１も器具制御部１２と電気的に接続されており、各温度センサで得られた検出情報は器具制御部１２に供給される。
【００２９】
缶体水量調整弁７は、器具制御部１２によって制御流量が設定される流量制御弁であって、図示のように、熱交換器４の下流側で上記接続部Ｃの上流側に配設される。具体的には、この缶体水量調整弁７は、入水流量センサ５や循環流量センサ１４の出力信号に基づいて得られる流量の検出値が、器具制御部１２において設定される設定流量（制御流量）と一致するように弁の開度を調整するように構成されている。そして、この缶体水量調整弁７は、上記制御流量に応じて弁を全閉から全開までの間で調節できるように構成されており、後述する給湯器の運転台数制御においては、給湯器への通水を遮断する流路開閉弁としても機能するものとされている。
【００３０】
バイパス管９は、熱交換器４で加熱昇温された温水の温度を調節するための水を供給する配管であって、器具制御部１２により制御されるバイパス水量調整弁１０により出湯管８に供給する水の量が調節される。なお、このバイパス水量調整弁１０も全閉から全開まで調節可能とされている。
【００３１】
器具制御部１２は、給湯器各部を制御する制御装置であって、図示しないマイコンを制御中枢として備えており、このマイコンに記憶された制御プログラムに従って給湯器各部の作動制御を行う。この制御プログラムには、給湯運転に関するプログラムや即出湯運転に関するプログラム、さらには、凍結予防運転に関するプログラムなどが含まれており、これらのプログラムに基づいて後述する給湯器１の各種制御が行われる。
【００３２】
なお、各給湯器１ａ，１ｂは、上述したとおりの基本構成は共通するが、この器具制御部１２については、給湯器１ａと給湯器１ｂとで構成がわずかに相違する。すなわち、本実施形態では、上述した給湯器の運転台数制御などを行う全体制御部が一方の給湯器（図示例では、給湯器１ａ）の器具制御部１２に搭載され、この全体制御部が搭載される器具制御部１２のマイコンには、上述した給湯器１ａの制御プログラムに加えて、全体制御部として機能するための制御プログラムも記憶される。
【００３３】
また、このように一方の給湯器１ａに全体制御部を備えさせたことにより、各給湯器１ａ，１ｂの器具制御部１２，１２同士は通信接続され、相互に制御信号の送受信ができるように構成される。すなわち、各給湯器１ａ，１ｂの制御部１２，１２同士は、上述した給湯器の運転台数制御に関する情報を相互にやり取りできるように構成される。
【００３４】
なお、全体制御部が搭載された器具制御部１２には、リモコン３０が接続される。リモコン３０は、給湯システムの遠隔操作装置であって、このリモコン３０によって、システムの運転オン／オフの指示や給湯設定温度の設定などの各種指令が給湯器１ａの器具制御部１２（具体的には、全体制御部）に与えられるとともに、その情報が給湯器１ｂの器具制御部１２にも共有される。
【００３５】
そして、本実施形態に示す給湯システムでは、上述した即出湯運転および凍結予防運転に関して、各給湯器１ａ，１ｂにはそれぞれ循環ポンプ１３と循環流量センサ１４とが備えられている。
【００３６】
すなわち、この給湯システムでは、各給湯器１ａ，１ｂには、各給湯器１ａ，１ｂに水を供給するための給水配管２０と、各給湯器１ａ，１ｂの熱交換器４で加熱昇温された温水を先栓２２に供給するための給湯配管２１とが接続されるほか、各給湯器１ａ，１ｂが即出湯運転を行えるように、給湯配管２１内の湯水を給湯器１ａ，１ｂの熱交換器４に戻すための給湯戻り配管２３が設けられており、この給湯戻り配管２３が分岐配管２４を介して各給湯器１ａ，１ｂの入水管２（具体的には、入水流量センサ５の上流側でバイパス管９との接続部Ｂの下流側）に接続されている。
【００３７】
そして、この各分岐配管２４のそれぞれに、上記循環ポンプ１３および循環流量センサ１４が備えられている。つまり、これら循環ポンプ１３および循環流量センサ１４は給湯器１ａ，１ｂごとに備えられている。なお、図示例では、これら循環ポンプ１３および循環流量センサ１４を給湯器に内蔵した場合を示したが、これらは給湯器とは別ユニットとして構成されていてもよい。
【００３８】
循環ポンプ１３は、器具制御部１２によってオン／オフ制御されるポンプで構成されており、この循環ポンプ１３が作動することによって給湯器１内の湯水が強制循環され、給湯戻り配管２３内の湯水が給湯器１内に取り込まれる、つまり、先栓２２を介して給湯戻り配管２３と接続された給湯配管２１内の湯水が給湯器１に取り込まれるように構成されている。
【００３９】
また、循環流量センサ１４は、上述した入水流量センサ５と同様に、配管内を流れる湯水の流量を検出する羽根車式の流量センサで構成されており、循環ポンプ１３の上流側に配設され、循環ポンプ１３に流入する湯水の流量を検出している。なお、この循環流量センサ１４も器具制御部１２と電気的に接続され、循環流量センサ１４で得られた検出情報は器具制御部１２に供給される。
【００４０】
Ａ：給湯器の運転台数制御と給湯運転
次に、このように構成された給湯システムの動作（具体的には、給湯器の運転台数制御と給湯器の給湯運転）について説明する。
まず始めに、給湯器の運転台数制御について説明する。この給湯システムでは、リモコン３０において運転スイッチがオンされると、全体制御部として機能する器具制御部１２がその制御プログラムに従って、給湯器１ａ，１ｂのいずれか一方の給湯器を、給湯運転を最初に開始させるメイン給湯器に設定し、他方の給湯器を給湯負荷の増加によってメイン給湯器の給湯能力が不足したときに給湯運転を許可するサブ給湯器に設定する。
【００４１】
なお、このメイン給湯器、サブ給湯器の設定は固定された設定ではなく、たとえば、メイン給湯器での燃焼運転（後述する給湯運転や即出湯運転）の積算時間が一定時間に達すると、全体制御部はメイン給湯器とサブ給湯器を入れ替えるなど、メイン給湯器が特定の給湯器に固定されないようにメイン給湯器のローテーションを行うようにされている。
【００４２】
以下、給湯器１ａをメイン給湯器に、給湯器１ｂをサブ給湯器に設定したものとして説明する。また、説明にあたっては、給湯器１ａの構成部品と給湯器１ｂの構成部品を区別するために、給湯器１ａの構成部品については符号の末尾に「ａ」を、給湯器１ｂの構成部品については符号の末尾に「ｂ」を付すものとする。
【００４３】
全体制御部を兼ねる器具制御部１２ａでメイン給湯器、サブ給湯器の設定が行われると、メイン給湯器に設定された給湯器１ａの器具制御部１２ａは缶体流量調整弁７ａを開いて給湯器１ａに給水配管２０から水が供給され得る状態、つまり給湯器１ａを通水可能な状態に制御する。一方、サブ給湯器に設定された給湯器１ｂの器具制御部１２ｂは給湯器１ａの器具制御部１２ａとの通信によって自身がサブ給湯器に設定されたことを認識すると、缶体水量調整弁７ｂを全閉に制御して給湯器１ｂに通水が生じないようにする。
【００４４】
そのため、この状態で先栓２２が開かれると、メイン給湯器である給湯器１ａだけに通水が生じる。すなわち、先栓２２からの出水に伴って、給水配管２０から供給される水が入水管２ａ、熱交換器４ａ、缶体流量調整弁７ａを経て給湯配管２１に供給されるようになる。このとき、サブ給湯器である給湯器１ｂは缶体流量調整弁７ｂが閉じられているので、給湯器１ｂには通水は生じない。なお、この時点では未だ各給湯器１ａ，１ｂのいずれも給湯運転を開始していないので、各バイパス水量調整弁１０ａ，１０ｂはともに全閉とされている。
【００４５】
このようにして、メイン給湯器である給湯器１ａに通水が生じると、給湯器１ａの器具制御部１２ａは、入水流量センサ５ａの検出値があらかじめ設定されている給湯器１ａの最低作動流量以上であるか否かを判断し、最低作動流量以上の通水が検出されれば、給湯器１ａの器具制御部１２ａが給湯運転を開始させる。すなわち、給湯器１ａのバーナに点火し、リモコン３０で設定された給湯設定温度の出湯ができるように給湯器１ａの各部を制御する。
【００４６】
そして、先栓２２での出湯流量が増加するなど給湯負荷が増加し、メイン給湯器だけでは給湯能力に不足が生じた場合、全体制御部を兼ねる器具制御部１２ａは、サブ給湯器として設定していた給湯器１ｂの器具制御部１２ｂに対して給湯運転を許可する旨の制御信号を与える。
【００４７】
これにより、サブ給湯器として設定されていた給湯器１ｂは、器具制御部１２ａからの指令に応じて缶体水量調整弁７ｂを開く制御を行う。缶体水量調整弁７ｂが開かれることによって、給湯器１ｂにも、給水配管２０から供給される水が入水管２ｂ、熱交換器４ｂ、缶体水量調整弁７ｂを経て給湯配管２１に流れる通水が生じるので、入水流量センサ５ｂにおいて最低作動流量以上の通水が検出されることを条件に、給湯器１ｂの器具制御部１２ｂが給湯器１ｂの給湯運転を開始させる。すなわち、給湯器１ｂのバーナに点火し、リモコン３０で設定された給湯温度の出湯ができるように（給湯器１ａの給湯運転を補うように）給湯器１ｂの各部が制御される。
【００４８】
なお、給湯負荷が減少し、サブ給湯器の給湯運転が不要になったときには、全体制御部を兼ねる器具制御部１２ａから給湯器１ｂの器具制御部１２ｂに対して給湯運転を禁止する旨の制御信号が与えられ、この信号を受け付けた給湯器１ｂの器具制御部１２ｂは、缶体水量調整弁７ｂを全閉に制御して給湯運転を停止する。
【００４９】
Ｂ：即出湯運転
次に、即出湯運転について図２に基づいて説明する。図２は即出湯運転の手順の一例を示すフローチャートである。
【００５０】
上述したように、即出湯運転は、先栓２２を開いたときに先栓２２から直ちに温水が出湯されるように予め給湯配管２１内の湯水を温めておくために行われる運転である。つまり、この即出湯運転は、メイン給湯器が給湯運転を開始して給湯設定温度の温水が出湯されるまでの間につなぎ的に行われる運転であるので、メイン給湯器に設定されている給湯器のみで行われるが、上述したように、メイン給湯器はローテーションを行うので、各給湯器１ａ，１ｂはいずれも即出湯運転ができるように構成されており、器具制御部１２ａ，１２ｂは、独自に以下のような手順で即出湯運転を行うか否かを判定する。
【００５１】
まず、各給湯器１ａ，１ｂの器具制御部１２ａ，１２ｂは、自身がメイン給湯器に設定されているかを判断する（図２ステップＳ１参照）。器具制御部１２ａ，１２ｂは、いずれも上述した運転台数制御によって自身がメイン給湯器またはサブ給湯器のいずれに設定されているかを認識しているので、この判断はその認識に基づいて行われる。
【００５２】
この判断の結果、サブ給湯器に設定されている給湯器１ｂはメイン給湯器に設定されるまで即出湯運転は行われないので図２ステップＳ１に復帰する（図２ステップＳ１で「Ｎｏ」参照）。これに対して、メイン給湯器に設定されている給湯器１ａでは次のステップに進んで、器具制御部１２ａは給湯運転が停止しているか（換言すれば、リモコン３０の運転スイッチがオンされており、給湯器１ａが給湯運転の待機状態にあるか）を判断する（図２ステップＳ２参照）。すなわち、即出湯運転は給湯運転が行われていない場合に必要となる運転であるので、給湯運転が行われている場合には即出湯運転は行わない（図２ステップＳ２で「Ｎｏ」参照）。なお、メイン給湯器が給湯運転をしていなければサブ給湯器も給湯運転を行っていないので、サブ給湯器の給湯運転の有無については判断しない。
【００５３】
そして、メイン給湯器が給湯運転をしていなければ、次に、器具制御部１２ａは即出湯運転の開始条件（即出湯運転開始条件）が満たされているかを判断する（図２ステップＳ３参照）。即出湯運転は、給湯配管２１内の湯水の温度がある程度低下したときに行うものであるので、この条件には、給湯配管２１内の湯水の温度低下の兆候を示すものが用いられる。たとえば、出湯温度センサ１１の検出温度が所定温度以下となったことなどがこの条件として用いられる。
【００５４】
そして、この判断の結果、即出湯運転開始条件が満たされていると、器具制御部１２ａは即出湯運転を開始する（図２ステップＳ４参照）。具体的には、給湯器１ａの器具制御部１２ａは、循環ポンプ１３ａを作動させるとともに、給湯器１ａのバーナを点火してバーナに所定の燃焼運転を行わせる。この即出湯運転での燃焼運転は、給湯運転における燃焼運転とは異なり、即出湯運転用として器具制御部１２ａに設定されている燃焼運転である。すなわち、この燃焼運転は給湯器１ａ内の湯水が冷めないようにすることが目的であるので、その目的に沿って設定される燃焼運転、たとえば、予め設定された所定の燃焼量での燃焼運転が行われる。
【００５５】
循環ポンプ１３ａが作動したとき、メイン給湯器である給湯器１ａの缶体水量調整弁７ａは運転台数制御によって既に開かれているので、給湯器１ａ内の湯水は強制的に循環される。すなわち、循環ポンプ１３ａ、熱交換器４ａ、缶体水量調整弁７ａ、給湯配管２１、給湯戻り配管２３の経路で給湯器１ａ内に湯水の強制循環が生じ、循環する湯水が熱交換器４ａによって加熱昇温され、給湯配管２１内の湯水の温度低下が防止される。
【００５６】
なお、この即出湯運転を行う時には給湯運転は行われていないので、バイパス水量調整弁１０ａは全閉に制御されており、バイパス管９ａに通水は生じない。また、サブ給湯器に設定されている給湯器１ｂは、運転台数制御によってその缶体水量調整弁７ｂが全閉とされており、また、バイパス水量調整弁１０ｂも全閉に制御されているので、給湯器１ｂへの通水も生じない。
【００５７】
しかして、このようにして行われた即出湯運転は、メイン給湯器による給湯運転の開始により停止されるほか、給湯配管２１内の湯水が所定温度まで温められたとき（たとえば、入水温度センサ６ａの検出温度が即出湯運転停止設定温度以上になったとき）などにも停止するように構成される。なお、この即出湯運転中におけるメイン給湯器の給湯運転開始条件は、たとえば、即出湯運転中のメイン給湯器の入水流量センサ５ａと循環流量センサ１４ａの流量差に基づいて設定される。具体的には、これら流量の流量差があらかじめ器具制御部１２ａに設定される所定の流量差を超えて入水流量センサ５ａの検出値が大きくなった場合にメイン給湯器である給湯器１ａが給湯運転を開始するように構成されている。
【００５８】
Ｃ：凍結予防運転
次に、凍結予防運転について図３に基づいて説明する。図３は凍結予防運転の手順の一例を示すフローチャートである。
【００５９】
凍結予防運転は、上述したように、給湯器内の湯水が凍結するのを防止するために行う運転であって、この運転はメイン給湯器、サブ給湯器の設定に関係なく行われる。そのため、各給湯器１ａ，１ｂの器具制御部１２ａ，１２ｂは、独自に以下のような手順で凍結予防運転を行うか否かを判定する。
【００６０】
すなわち、各給湯器１ａ，１ｂの器具制御部１２ａ，１２ｂは、まず、それぞれ自身の給湯運転が停止しているかを判断する（図３ステップＳ１参照）。これは、凍結予防運転は、後述するように、循環ポンプ１３の作動を伴うので、給湯運転中は行わないので給湯運転の有無を確認することとしたものである（図３ステップＳ１で「Ｎｏ」参照）。
【００６１】
そして、この判断の結果、給湯運転をしていなければ、各器具制御部１２ａ，１２ｂは、それぞれ凍結予防運転の開始条件（凍結予防運転開始条件）が満たされているかを判断する（図３ステップＳ２参照）。凍結予防運転は、給湯器内の湯水の凍結を防止するものであるので、この条件に給湯器内の凍結の兆候を示すものが用いられる。たとえば、入水温度センサ６の検出温度が所定温度以下になった場合や、給湯器内の雰囲気温度を検出する温度センサが備えられている場合には当該センサの検出温度が所定温度以下になった場合などがこの条件とされ得る。
【００６２】
そして、この判断の結果、凍結予防運転開始条件が満たされていると、器具制御部１２ａ、１２ｂは凍結予防運転を開始することになるが（図３ステップＳ４、Ｓ５参照）、メイン給湯器に設定されているかサブ給湯器に設定されているかによって缶体水量調整弁７の状態が相違するので、凍結予防運転を開始する前にメイン給湯器であるか否かを判断する（図３ステップＳ３参照）。
【００６３】
メイン給湯器に設定されている給湯器１ａの器具制御部１２ａではこの判断が肯定される（図３ステップＳ３で「Ｙｅｓ」となる）ので、器具制御部１２ａは、図３ステップＳ４に進んで、循環ポンプ１３ａを作動させる。このとき、メイン給湯器である給湯器１ａの缶体水量調整弁７ａは開かれているので、循環ポンプ１３ａの作動によって給湯器１ａ内の湯水が強制的に循環される。つまり、循環ポンプ１３ａ、熱交換器４ａ、缶体水量調整弁７ａ、給湯配管２１、給湯戻り配管２３の経路で給湯器１ａ内の湯水が循環する。なお、この時、給湯器１ａは給湯運転を行っていないので、バイパス水量調整弁１０ａは全閉に制御されている。また、凍結予防運転は給湯器内の湯水を循環させて凍結を防止する運転であるので、バーナへの点火は行われない。
【００６４】
一方、サブ給湯器に設定されている給湯器１ｂの器具制御部１２ｂでは図３ステップＳ３の判断は否定される（図３ステップＳ３で「Ｎｏ」となる）ので、図３ステップＳ５に進んで、器具制御部１２ｂは、循環ポンプ１３ｂを作動させるとともに缶体水量制御弁７ｂを開く制御を行う。これにより、給湯器１ｂでも循環ポンプ１３ｂ、熱交換器４ｂ、缶体水量調整弁７ｂ、給湯配管２１、給湯戻り配管２３の経路で湯水が循環するようになる。給湯器１ｂも給湯運転は行っていないので、バイパス水量調整弁１０ｂは全閉に制御されている。また、給湯器１ｂでもバーナへの点火は行われない。
【００６５】
なお、このようにして行われた凍結予防運転も、メイン給湯器による給湯運転の開始により停止されるほか、給湯器内の湯水の温度上昇があり凍結のおそれがなくなると（たとえば、入水温度センサ６ｂの検出温度が凍結予防運転停止設定温度以上になったときなどに）停止するように構成されている。また、この凍結予防運転中におけるメイン給湯器の給湯運転開始条件も上述した即出湯運転の給湯運転開始条件と同様に設定される。すなわち、メイン給湯器が凍結予防運転を行っている場合、メイン給湯器の入水流量センサ５ａと循環流量センサ１４ａの流量差に基づき、これら流量の流量差があらかじめ器具制御部１２ａに設定される所定の流量差を超えて入水流量センサ５ａの検出値が大きくなった場合にメイン給湯器である給湯器１ａが給湯運転を開始するように構成されている。
【００６６】
ところで、このようにして行われる即出湯運転および凍結予防運転は、いずれも当該運転を行う給湯器１の缶体水量調整弁７を開いて循環ポンプ１３を作動させる運転（循環運転）を行うものであるところ、このような循環運転を行うか否かの判定は、各給湯器１ａ，１ｂの器具制御部１２ａ，１２ｂがそれぞれ独自に判断しているので、これらの循環運転が給湯器１ａ，１ｂの双方で同時に行われる場合がある。
【００６７】
具体的には、メイン給湯器の即出湯運転とサブ給湯器の凍結予防運転とが同時に行われる場合や、メイン給湯器およびサブ給湯器の双方で凍結予防運転が行われる場合などがある。そして、このように給湯器１ａ，１ｂの双方で同時に循環運転が行われているときに先栓２２が開かれると、給水配管２０から供給される水が各給湯器１ａ，１ｂに分散される。具体的には、循環運転時に給湯器１ａ，１ｂの缶体水量調整弁７ａ，７ｂを同じように制御していると、給水配管２０から供給される水は各給湯器１ａ，１ｂにほぼ均等に分散されてしまい、先栓２２でメイン給湯器の最低作動流量相当の水を使用しても、メイン給湯器には最低作動流量の半分ほどの流量しか流れないので、メイン給湯器の給湯運転を開始させるには最低作動流量の倍以上の水を使用しなければならなくなる。また、そのためにメイン給湯器での給湯運転の開始が遅れる。
【００６８】
本発明に係る給湯システムでは、このような状況を改善するために２台以上の給湯器で循環運転が同時に行われる場合には、メイン給湯器に他の給湯器よりも多くの通水が生じるように各給湯器の流量制御を行っている。
【００６９】
具体的には、本実施形態の給湯システムでは、各給湯器１ａ，１ｂの器具制御部１２ａ，１２ｂに、循環運転時用の缶体水量調整弁７ａ，７ｂの制御流量を設定し、循環運転が行われるときにはこの制御流量を用いて各器具制御部１２ａ，１２ｂが缶体水量調整弁７ａ，７ｂを制御するようにしている。
【００７０】
この循環運転時用の缶体水量調整弁７ａ，７ｂの制御流量は、［メイン給湯器の缶体水量調整弁７ａの制御流量］＞［サブ給湯器の缶体水量調整弁７ｂの制御流量］となるように設定され、たとえば、メイン給湯器の缶体水量調整弁７ａの制御流量とサブ給湯器の缶体水量調整弁７ｂの制御流量の比率が２：１となるように設定される。
【００７１】
具体的な数値を挙げて説明すると、たとえば、メイン給湯器の缶体水量調整弁７ａの制御流量を毎分７Ｌに設定し、サブ給湯器の缶体水量調整弁７ｂの制御流量を毎分３．５Ｌに設定する。この設定によれば、先栓２２が開かれることによってメイン給湯器とサブ給湯器に分散される流量はほぼ２：１となり、先栓２２が開かれた時、メイン給湯器により多くの水が流れるようになる。そのため、たとえば、メイン給湯器の最低作動流量が毎分３Ｌである場合、先栓２２で毎分４．５Ｌ以上の水を使用すればメイン給湯器に最低作動流量以上の水が流れるようになり、メイン給湯器が給湯運転を開始するようになる。
【００７２】
これに対し、循環運転時にメイン給湯器とサブ給湯器で缶体水量調整弁７ａ，７ｂの制御流量に差を設けない場合（制御流量の比率が１：１の場合）には、メイン給湯器の最低作動流量が毎分３Ｌであると、先栓２２で毎分６Ｌ以上の水を使用しなければメイン給湯器に最低作動流量の水が流れない。つまり、毎分６Ｌ以上の水を流さないと給湯運転が開始されない。
【００７３】
このように、本発明に係る給湯システムは、缶体水量調整弁７ａ，７ｂの制御流量として循環運転時用の制御流量を設定し、循環運転時にはこの制御流量を用いてメイン給湯器に他の給湯器よりも多くの通水が生じるようにしているので、制御流量に差を設けない場合に比べて、先栓２２での少ない水使用量でメイン給湯器の給湯運転を開始させることができる。また、これに伴ってより早期に給湯運転が開始されるので、ユーザにとって使い勝手のよい給湯システムが提供される。
【００７４】
なお、本実施形態では、循環運転時におけるサブ給湯器での缶体水量調整弁７ｂの制御流量は、メイン給湯器での缶体水量調整弁７ａの制御流量よりも小さく設定されるが、ここでサブ給湯器に設定される制御流量をあまり小さくし過ぎると、サブ給湯器での湯水の循環流量が少なくなりすぎて、サブ給湯器で凍結予防運転を開始しても給湯器内の湯水の凍結を防止できなくなる。そのため、サブ給湯器での缶体水量調整弁７ｂの制御流量は、少なくとも、サブ給湯器の凍結予防運転で給湯器内の湯水の凍結が防止できる程度の流量が得られる値に設定され、具体的には、給湯器内の湯水の凍結を防止できる程度の流量であって、かつ、缶体水量調整弁７で制御可能な領域の流量に設定される。
【００７５】
また、この循環運転時用の制御流量の設定は、２台以上の給湯器で循環運転が同時に行われる場合を想定して設けているが、器具制御部１２のプログラムの簡素化を図る上では、循環運転を行う給湯器が１台だけの場合であっても、この設定を用いるようにすることができる。たとえば、サブ給湯器である給湯器１ｂのみで凍結予防運転が行われるような場合には、この設定を用いて給湯器１ｂの缶体水量調整弁１ｂの制御流量を毎分３．５Ｌに設定することができる。
【００７６】
また、この循環運転時用の制御流量の設定は、メイン給湯器の制御流量（上記毎分７Ｌ）とサブ給湯器側の制御流量（上記毎分３．５Ｌ）は固定されているが、たとえば、循環運転を行う給湯器がサブ給湯器１台だけの場合には、この循環運転を行うサブ給湯器の制御流量としてメイン給湯器用に設定されている制御流量（毎分７Ｌ）を用いるように構成することもできる。すなわち、サブ給湯器である給湯器１ｂの器具制御部１２ｂはメイン給湯器が循環運転をしていないことをメイン給湯器１ａの器具制御部１２ａとの通信で認識しているので、このような制御を採用することもできる。これにより、メイン給湯器が循環運転をしていない状態で１台のサブ給湯器のみで凍結予防運転が行われる場合には、サブ給湯器である給湯器１ｂに循環する湯水の量を増やして、凍結予防運転を効果的に行わせることができる。
【００７７】
なお、上述した実施形態は本発明の好適な実施態様を示すものであって、本発明はこれらに限定されることなく発明の範囲内で種々の設計変更が可能である。
【００７８】
たとえば、上述した実施形態では、２台の給湯器１ａ，１ｂを連結した給湯システムを示したが、本発明は３台以上の給湯器を連結した給湯システムにも適用可能である。また、３台以上の給湯器を連結する場合、メイン給湯器は１台である必要はなく、２台以上の給湯器をメイン給湯器として設定することもできる。
【００７９】
また、上述した実施形態では給湯システムの全体制御部を一方の給湯器１ａに搭載した場合を示したが、全体制御部は給湯器１とは別体に構成されていてもよい。その場合、全体制御部と各給湯器の器具制御部１２は別途の通信線などで通信可能に接続される。また、上述した実施形態では、全体制御部となる器具制御部１２ａにのみ全体制御部として機能するための制御プログラムを記憶させた場合を示したが、給湯器１ａ，１ｂの器具制御部１２ａ，１２ｂの双方に全体制御部として機能するための制御プログラムを記憶させておき、一方の器具制御部（たとえば、リモコン３０が接続される器具制御部）についてだけ全体制御部として機能する制御プログラムを動作させ、他方は動作させないようにしておくこともできる。
【００８０】
また、上述した実施形態では、加熱部への通水を制御する流量制御弁として缶体水量調整弁７を用いた場合を示したが、加熱部への通水を制御する流量制御弁は複数設けられていてもよい。また、加熱部への通水を制御する流量制御弁として、上述した缶体水量調整弁７に代えて、出湯管３とバイパス管９の接続部Ｃよりも下流側にトータル流量制御弁を備えるように構成してもよい。さらに、上述した実施形態では、単一の弁（缶体水量調整弁７）で流量の調整と流路の開閉とを行うように構成した場合を示したが、流量調整用の弁と流路開閉用の弁を別々に設けるように構成してもよい。
【００８１】
また、上述した実施形態では、メイン給湯器の缶体水量調整弁７ａの制御流量とサブ給湯器の缶体水量調整弁７ｂの制御流量の設定比率が２：１である場合を示したが、この設定比率は２：１に限られず、たとえば３：１に設定するなど適宜設定変更可能である。
【００８２】
また、上述した実施形態では、メイン給湯器に他の給湯器よりも多くの通水が生じるようにするために、メイン給湯器と他の給湯器の缶体水量調整弁７の制御流量に差を設けた場合を示したが、メイン給湯器に多くの通水を生じさせるために、循環ポンプの能力に差を設定するようにすることもできる。
【符号の説明】
【００８３】
１，１ａ，１ｂ      給湯器
２                  入水管
３                  出湯管
４                  熱交換器（加熱部）
５                  入水流量センサ
６                  入水温度センサ
７                  缶体水量調整弁（流量制御弁）
８                  缶体温度センサ
９                  バイパス管
１０                バイパス水量調整弁
１１                出湯温度センサ
１２                器具制御部
１３                循環ポンプ
１４                循環流量センサ
２０                給水配管
２１                給湯配管
２２                先栓
２３                給湯戻り配管
２４                分岐配管
３０                リモコン
【図１】
0005505129.tif 000002
【図２】
0005505129.tif 000003
【図３】
0005505129.tif 000004